(57)【特許請求の範囲】
【請求項１】
通信ネットワークを介して商品販売者の端末と通信可能に接続され、当該商品販売者の商品を販売するネットショッピングサイトを運営するショッピングサイト運営装置であって、
複数の所定の商品に対応付けられる特定の価格のみを示す決済単位を、当該複数の所定の商品に対応付けられる特定の値札を識別する値札ＩＤに関連付けて記憶する値札情報データベースと、
価格を除く前記複数の所定の商品に係る情報を、前記複数の所定の商品をそれぞれ識別する商品ＩＤに関連付けて記憶する商品データベースと、
前記商品販売者の端末から、前記複数の所定の商品について前記値札ＩＤの選択を受け付けたことに応じて、前記選択を受け付けた値札ＩＤを前記複数の所定の商品の商品ＩＤにそれぞれ関連付けて前記商品データベースに更に記憶する商品登録手段と、
前記商品販売者の端末から、個々の商品の価格の変更を受付けた場合には、前記商品データベースにおいて当該商品を識別する商品ＩＤに関連付けられる値札ＩＤを他の値札ＩＤに変更し、特定の価格の一括変更を受付けた場合には、前記値札情報データベースにおいて当該特定の価格に対応付けられる値札ＩＤに関連付けられる決済単位を変更する値札情報変更手段と、
を備えるショッピングサイト運営装置。
【請求項２】
ショッピングサイト運営装置が、通信ネットワークを介して商品販売者の端末と通信可能に接続され、当該商品販売者の商品を販売するネットショッピングサイトを運営するショッピングサイト運営方法であって、
複数の所定の商品に対応付けられる特定の価格のみを示す決済単位を、当該複数の所定の商品に対応付けられる特定の値札を識別する値札ＩＤに関連付けて記憶する値札情報データベースと、
価格を除く前記複数の所定の商品に係る情報を、前記複数の所定の商品をそれぞれ識別する商品ＩＤに関連付けて記憶する商品データベースと、を備える前記ショッピングサイト運営装置は、
前記商品販売者の端末から、個々の商品の価格の変更を受付けた場合には、前記商品データベースにおいて当該商品を識別する商品ＩＤに関連付けられる値札ＩＤを他の値札ＩＤに変更し、特定の価格の一括変更を受付けた場合には、前記値札情報データベースにおいて当該特定の価格に対応付けられる値札ＩＤに関連付けられる決済単位を変更するステップと、を実行するショッピングサイト運営方法。
【発明の詳細な説明】
【技術分野】
【０００１】
本発明は、ショッピングサイト運営装置及びショッピングサイト運営方法に関する。
【背景技術】
【０００２】
近年、インターネットを利用して商品を販売するネットショッピングが盛んに行われている。また、インターネット上で商品を販売する複数の販売者（マーチャント）の商品販売ページを一つのサイトにまとめて、様々な品物を販売する、所謂、電子商店街、あるいは電子モールと称されるウェブサイトを利用する購入者も増えている。
【０００３】
電子商店街においては、取引方法、決済方法、運営方法等を改善するために、従来より、様々な技術が提案されている。例えば、特許文献１には、モールによる代行販売の方式において、店舗情報・商品情報を変更・追加に迅速に対応するために、プラグイン方式で店舗情報の追加・更新ができるフレームワークを提供することにより、店舗情報・商品情報を電子ショップ出店者が定義できるようにする、という技術が開示されている。
【０００４】
ところで、商品販売者（マーチャント）が電子商店街において商品を販売するためには、まず、電子商店街を構成しているショッピングサイトを運営している管理者に、商店を開設することの申込を行う。例えば、ショッピングサイトで提供されている申込用のウェブ画面に、会社名、販売代金の振込先名義人、振込先口座等の決済情報及び販売する商品の商品情報等を入力して申込を行う。そして、運営サイト側が商品販売者（マーチャント）に対して電子商店街への出店を許可した場合に、ショッピングサイト運営サーバに、商品販売者用の商品データベース（以下、商品ＤＢ）が作成される。そして、商品販売者（マーチャント）は、端末を操作して商品ＤＢに登録されている商品の価格変更や商品の追加・削除等を行い、商品ＤＢを適宜更新しながら商品販売を行う。
【０００５】
一方、ショッピングサイト運営サーバは、商品販売者（マーチャント）の商品ＤＢに基づいて、商品購入者が端末を介して閲覧可能なウェブ画面からなる購入画面を作成する。この購入画面には商品名や価格等が表示され、商品購入者は、端末を介して購入画面を見ながら端末操作を行うことによって、商品を購入することができる。
【先行技術文献】
【特許文献】
【０００６】
【特許文献１】特開２００１−６７４１８号公報
【発明の概要】
【発明が解決しようとする課題】
【０００７】
従来において、販売する商品の価格を変えたい場合には、商品販売者（マーチャント）が端末を操作して、商品ごとに価格を変更する操作を行い、商品ＤＢの内容を更新する。この場合、多種類の販売商品を多数扱っている場合には、商品ごとに価格を変更する操作を行うことが、商品販売者（マーチャント）にとって大きな負担になる。
【０００８】
そこで、本発明は、商品販売者（マーチャント）が、複数の所定の商品について、その価格をより簡易な形式で登録・変更・削除するとを可能とし、更に複数の所定の商品に対応付けられる特定の価格の一括変更を可能とするショッピングサイト運営装置及びショッピングサイト運営方法を提供することを目的とする。
【課題を解決するための手段】
【０００９】
前記目的を達成するため、本発明は、次に記載する構成を備えている。
【００１０】
（１）  通信ネットワークを介して商品販売者の端末と通信可能に接続され、当該商品販売者の商品を販売するネットショッピングサイトを運営するショッピングサイト運営装置であって、複数の所定の商品に対応付けられる特定の価格のみを示す決済単位を、当該複数の所定の商品に対応付けられる特定の値札を識別する値札ＩＤに関連付けて記憶する値札情報データベースと、価格を除く前記複数の所定の商品に係る情報を、前記複数の所定の商品をそれぞれ識別する商品ＩＤに関連付けて記憶する商品データベースと、前記商品販売者の端末から、前記複数の所定の商品について前記値札ＩＤの選択を受け付けたことに応じて、前記選択を受け付けた値札ＩＤを前記複数の所定の商品の商品ＩＤにそれぞれ関連付けて前記商品データベースに更に記憶する商品登録手段と、前記商品販売者の端末から、前記値札情報データベースの前記決済単位の変更要求を受け付けたことに応じて、当該変更を前記値札情報データベースに記憶する値札情報変更手段と、備えるショッピングサイト運営装置。
【００１１】
（１）のショッピングサイト運営装置によれば、複数の所定の商品に対応付けられる特定の価格のみを示す決済単位が、複数の所定の商品に対応付けられる特定の値札を識別する値札ＩＤに関連付けて値札情報データベースに記憶される。また、価格を除く複数の所定の商品に係る情報が、複数の所定の商品をそれぞれ識別する商品ＩＤに関連付けて商品データベースに記憶される。また、商品販売者の端末から、複数の所定の商品について値札ＩＤの選択を受け付けたことに応じて、選択を受け付けた値札ＩＤが、複数の所定の商品の商品ＩＤにそれぞれ関連付けて商品データベースに更に記憶される。このように、商品販売者の端末の操作によって、商品ＩＤに値札ＩＤを関連付けて商品データベースに記憶することにより、複数の所定の商品に決済単位を一括して関連付けることが可能になり、従来における複数の所定の商品ごとに価格を入力する作業が大幅に省力化できる。また、値札情報データベースと商品データベースとは、値札ＩＤによって関連付けられており、商品販売者の端末から、値札情報データベースの決済単位の変更要求を受け付けたことに応じて、当該変更が値札情報データベースに記憶されることにより、同じ値札ＩＤが関連付けられている複数の所定の商品について、決済単位を一括して変更することが可能になる。例えば、値札ＩＤに対応する決済単位を変更することにより、同じ値札ＩＤが関連付けられている複数の所定の商品の価格を一括して変更することが可能になる。
【００１２】
（２）  ショッピングサイト運営装置が、通信ネットワークを介して商品販売者の端末と通信可能に接続され、当該商品販売者の商品を販売するネットショッピングサイトを運営するショッピングサイト運営方法であって、複数の所定の商品に対応付けられる特定の価格のみを示す決済単位を、当該複数の所定の商品に対応付けられる特定の値札を識別する値札ＩＤに関連付けて記憶する値札情報データベースと、価格を除く前記複数の所定の商品に係る情報を、前記複数の所定の商品をそれぞれ識別する商品ＩＤに関連付けて記憶する商品データベースと、を備える前記ショッピングサイト運営装置は、前記商品販売者の端末から、前記複数の所定の商品について前記値札ＩＤの選択を受け付けたことに応じて、前記選択を受け付けた値札ＩＤを前記複数の所定の商品の商品ＩＤに関連付けて前記商品データベースに更に記憶するステップと、前記商品販売者の端末から、前記値札情報データベースの前記決済単位の変更要求を受け付けたことに応じて、当該変更を前記値札情報データベースに記憶するステップと、を実行するショッピングサイト運営方法。
【００１３】
（２）の方法によれば、（１）のショッピングサイト運営装置と同様の効果を奏する。
【発明の効果】
【００１４】
本発明によれば、商品販売者（マーチャント）が、複数の所定の商品の特定の価格を、より簡易な形式で登録・変更・削除するとを可能とし、更に複数の所定の商品の特定の価格の一括変更を可能とする商品ＤＢの構築を容易に可能とするショッピングサイト運営装置及びショッピングサイト運営方法を提供することができる。
【図面の簡単な説明】
【００１５】
【図１】本実施形態に係るショッピングサイト運営装置の機能概要を示す図である。
【図２】本実施形態に係る値札情報ＤＢを示す図である。
【図３】本実施形態に係る商品ＤＢを示す図である。
【図４】本実施形態に係る値札情報ＤＢと商品ＤＢとの関連を示す図である。
【図５】値札情報ＤＢに登録する決済情報を入力するための値札情報登録ページを示す図である。
【図６】商品ＤＢに登録する商品情報を入力するための商品情報登録ページを示す図である。
【図７】商品ＤＢに登録した商品のリストを示す図である。
【図８】商品購入者の端末の表示手段に表示される商品リストの画面を示す図である。
【図９】値札情報ＤＢに登録する決済情報を入力するための値札情報変更ページを示す図である。
【図１０】本実施形態に係る商品ＤＢを示す図である。
【図１１】商品購入者の端末の表示手段に表示される商品リストの画面を示す図である。
【図１２】本実施形態に係るショッピングサイト運営装置が行う処理のフローチャートである。
【発明を実施するための形態】
【００１６】
［機能構成］
図１は、本実施形態に係るショッピングサイト運営装置の機能概要を示す図である。ショッピングサイト運営装置１は、商品販売者端末１００及び商品購入者端末１０１にインターネット等の通信回線を介して通信可能に接続され、商品の紹介、購入、決済等をウェブ画面上で実現する電子商店街を提供することができるサーバである。
【００１７】
本実施形態は、コンピュータ（ショッピングサイト運営装置１）及びその周辺装置に適用される。本実施形態における各部は、コンピュータ及びその周辺装置が備えるハードウェア並びに当該ハードウェアを制御するソフトウェアによって構成される。
【００１８】
上記ハードウェアには、制御部としてのＣＰＵ（Ｃｅｎｔｒａｌ  Ｐｒｏｃｅｓｓｉｎｇ  Ｕｎｉｔ）の他、記憶部、通信装置、表示装置及び入力装置が含まれる。記憶部としては、例えば、メモリ（ＲＡＭ：Ｒａｎｄｏｍ  Ａｃｃｅｓｓ  Ｍｅｍｏｒｙ、ＲＯＭ：Ｒｅａｄ  Ｏｎｌｙ  Ｍｅｍｏｒｙ等）、ハードディスクドライブ（ＨＤＤ：Ｈａｒｄ  Ｄｉｓｋ  Ｄｒｉｖｅ）及び光ディスク（ＣＤ：Ｃｏｍｐａｃｔ  Ｄｉｓｋ、ＤＶＤ：Ｄｉｇｉｔａｌ  Ｖｅｒｓａｔｉｌｅ  Ｄｉｓｋ等）ドライブが挙げられる。通信装置としては、例えば、各種有線及び無線インターフェース装置が挙げられる。表示装置としては、例えば、液晶ディスプレイやプラズマディスプレイ等の各種ディスプレイが挙げられる。入力装置としては、例えば、キーボード及びポインティング・デバイス（マウス、トラッキングボール等）が挙げられる。
【００１９】
上記ソフトウェアには、上記ハードウェアを制御するコンピュータ・プログラムやデータが含まれる。コンピュータ・プログラムやデータは、記憶部に記憶され、制御部により適宜実行、参照される。また、コンピュータ・プログラムやデータは、通信回線を介して配布されることも可能であり、ＣＤ−ＲＯＭ等のコンピュータ可読媒体に記録して配布されることも可能である。
【００２０】
ショッピングサイト運営装置１は、本実施形態の機能を実行するプログラム（図示省略）等を記憶する記憶部１３と、ショッピングサイト運営装置１に係る各機能を統括的に制御する制御部１４と、を備える。
【００２１】
記憶部１３は、上述の各種プログラムの他に、値札情報データベース（以下、値札情報ＤＢと称する）１３１及び商品データベース（以下、商品ＤＢと称する）１３２を備える。
【００２２】
図２は、本実施形態に係る値札情報ＤＢを示す図である。値札情報ＤＢ１３１は、値札ＩＤと、決済単位と、決済情報とを関連付けたデータとを関連付けて記憶するものである。値札ＩＤは、複数の所定の商品に対応付けられる特定の値札を識別するものである。決済単位は、複数の所定の商品に対応付けられる特定の価格のみを示すものである。決済情報は、振込先名義人と、振込先口座等からなる。具体的に、図２において、「００１１００」という値札ＩＤには、決済単位が「１００」、振込先名義人が「Ａ」、振込先口座が「○○銀行□支店普通口座１１１１１１」という情報が関連付けられている。また、「００１２００」という値札ＩＤには、決済単位が「２００」、振込先名義人が「Ａ」、振込先口座が「○○銀行□支店普通口座１１１１１１」という情報が関連付けられている。
【００２３】
図３は、本実施形態に係る商品ＤＢを示す図である。商品ＤＢ１３２は、商品ＩＤ、商品に係る情報及び値札ＩＤとを関連付けて記憶するものである。商品に係る情報としては、商品名、商品紹介及び写真のファイル名等が該当する。商品ＩＤは、商品を識別するための情報であり、商品それぞれが一意に決まるように付されている。また、値札ＩＤは、複数の所定の商品の商品ＩＤに対応している。このように、この複数の所定の商品の商品ＩＤに値札ＩＤを関連付けることにより、複数の商品それぞれに対して価格や決済情報の情報が対応付けられる。具体的に、図３において、「Ａ００１」という商品ＩＤには、商品名が「リンゴ」、リンゴに関する商品紹介及び写真のファイル名の商品情報が関連付けられている。更に、「Ａ００１」という商品ＩＤに、「００１１００」という値札ＩＤが関連付けられている。このため、「リンゴ」という商品には、値札ＩＤが「００１１００」の値札情報、すなわち、値札情報ＤＢ１３１の値札ＩＤ「００１１００」に対応する情報として、決済単位「１００」、振込先名義人「Ａ」及び振込先口座「○○銀行□支店普通口座１１１１１１」という情報が関連付けられている。
【００２４】
図４は、本実施形態に係る値札情報ＤＢと商品ＤＢとの関連を示す図である。値札情報ＤＢ１３１においては、１つの値札ＩＤに対して、決済単位と、振込先名義人と、振込先口座とが関連付けられている。また、商品ＤＢ１３２においては、１つの商品ＩＤに対して、商品名と、商品紹介と、写真とが関連付けられている。更に、複数の所定の商品の商品ＩＤに対して１つの値札ＩＤが関連付けられている。図４に示されるように、値札ＩＤは、値札情報ＤＢ１３１及び商品ＤＢ１３２を関連させるキー情報である。このように、値札情報ＤＢ１３１と商品ＤＢ１３２とは、値札ＩＤによって関連付けられた関係データベースである。
【００２５】
また、図１において、制御部１４は、商品登録手段１４１と、受付手段１４２と、値札情報変更手段１４３と、購入画面生成送信手段１４４と、決済要求受付手段１４５と、決済処理手段１４６と、を備える。
【００２６】
商品登録手段１４１は、商品販売者端末１００から、商品情報と商品ＩＤとを受け付ける。そして、商品登録手段１４１は、商品販売者端末１００から受け付けた商品情報と商品ＩＤとを関連付けて商品ＤＢ１３２に記憶（登録）するものである。具体的には、商品登録手段１４１は、商品販売者端末１００の商品登録操作（例えば、商品登録を行うページへのアクセス操作）によって、図６に示す商品情報登録ページを商品販売者端末１００に送信する。そして、商品登録手段１４１は、商品情報登録ページに入力された内容を受け付けたことに応じて、当該内容を、商品ＤＢ１３２に記憶させる。例えば、商品登録手段１４１は、商品登録ページにおいて、商品販売者から商品ＩＤに係る商品について値札ＩＤの選択を受け付けたことに応じて、選択を受け付けた値札ＩＤを商品ＩＤに関連付けて商品ＤＢ１３２に記憶させる。ここで、値札ＩＤは、商品情報の登録時に登録してもよいし、また、商品情報を商品ＩＤとともに登録した後に、商品ＤＢ１３２に登録してもよい。
【００２７】
受付手段１４２は、商品販売者端末１００からの上述の商品情報登録ページや、後述の値札情報登録ページのページ取得要求を受け付けるものである。
【００２８】
値札情報変更手段１４３は、商品販売者端末１００から送信された値札ＩＤと、決済単位と、決済情報（振込先名義人及び振込先口座）とを値札情報として、値札情報ＤＢ１３１に登録するものである。また、値札情報変更手段１４３は、商品販売者端末１００から値札情報ＤＢ１３１における、値札ＩＤに対応する決済単位あるいは決済情報の変更要求を受け付けたことに応じて、変更した内容を値札情報ＤＢ１３１に記憶するものである。
【００２９】
購入画面生成送信手段１４４は、商品ＤＢ１３２に登録された商品情報及び値札情報ＤＢ１３１に登録されている値札情報に基づいて、商品の紹介や購入を行うための商品購入ウェブページを生成する。更に、購入画面生成送信手段１４４は、商品購入者端末１０１から閲覧要求があった場合に、商品購入者端末１０１に商品購入ウェブページのデータを送信する。商品購入ウェブページのデータを受信した商品購入者端末１０１は、表示手段（図示せず）に商品購入ウェブページを表示させ、商品購入者から商品の購入を受け付ける。この商品購入ウェブページには、商品名、商品紹介、写真、価格等の画像が含まれる。商品購入者は、商品購入者端末１０１に表示された商品購入ウェブページを見ながら画面操作を行うことにより、商品の購入や決済を行う。
【００３０】
決済要求受付手段１４５は、商品購入ウェブページにおける購入操作の後、商品購入者端末１０１から送信された決済要求を受け付けた場合に、決済処理手段１４６に決済処理を実行させる。決済処理手段１４６は、購入者が選択した商品の値札ＩＤに基づいて、値札情報ＤＢ１３１から決済情報を読み出して、決済処理を実行する。
【００３１】
［登録画面の説明］
図５は、値札情報ＤＢに登録する値札情報を入力するための値札情報登録ページを示す図である。値札情報ＤＢ１３１への決済情報の新規登録又は登録内容の変更を行う場合、商品販売者は、商品販売者端末１００を操作して表示手段（図示せず）に値札情報登録ページを表示させ、この値札情報登録ページの各種の入力項目に入力を行う。値札情報登録ページには、値札ＩＤ、決済単位、振込先名義人及び振込先口座の４つの入力項目がある。例えば、値札ＩＤの入力項目に「００１１００」、決済単位の入力項目に「１００」、振込先名義人の入力項目に「Ａ」、振込先口座の入力項目に「○○銀行□支店普通口座１１１１１１」と入力して、登録ボタンを操作することにより、図２に示すように、値札情報ＤＢ１３１に登録される。この入力操作を決済単位ごとに行うことによって、値札情報ＤＢ１３１が構築される。
【００３２】
本実施形態における値札ＩＤの入力項目は、図５に示すように、ボタン操作によってリスト表示可能であり、この値札ＩＤ入力用の選択リストに表示された項目を選択することができる。また、図５においては値札ＩＤ入力用の選択リストについて記載されているが、決済単位の入力項目も、値札ＩＤの入力項目と同様にボタン操作によってリスト表示可能であり、この決済単位入力用の選択リストには、複数の決済単位が表示され、これらの決済単位から選択することが可能になる。更に、図５に示すように、値札情報登録ページには、値札ＩＤ追加ボタンが備えられており、このボタンを操作することによって、新たに値札ＩＤを登録することが可能になる。なお、本実施形態では、決済単位を選択しているが、直接決済単位を入力してもよい。
【００３３】
図６は、商品ＤＢに登録する商品情報を入力するための商品情報登録ページを示す図である。商品ＤＢ１３２への商品情報の登録、変更を行う場合、商品販売者は、商品販売者端末１００を操作して、表示手段（図示せず）に商品情報登録ページを表示させ、この商品情報登録ページの各種の入力項目に入力を行う。商品情報登録ページには、値札ＩＤ、商品ＩＤ、商品名、商品紹介及び写真ファイル名の５つの入力項目がある。ここで、値札ＩＤ、決済単位及び商品ＩＤが、商品情報登録における必須入力項目であり、他の入力項目には後で入力することも可能である。
【００３４】
例えば、値札ＩＤの入力項目に「００１１００」、商品ＩＤの入力項目に「Ａ００１」、商品名の入力項目に「リンゴ」、商品紹介名の入力項目に「青森産」、写真ファイル名の入力項目に「ｒｉｎｇｏ．ｊｐｇ」、と入力して、登録ボタンを操作することによって入力データは、ショッピングサイト運営装置１に送信される。この入力データは、ショッピングサイト運営装置１の受付手段１４２によって受け付けられ、商品登録手段１４１によって、商品ＤＢ１３２に登録される。このような入力操作を商品ＩＤごとに行うことによって、商品ＤＢ１３２における商品の追加が行われる。
【００３５】
また、値札ＩＤの入力項目には、値札情報ＤＢ１３１に登録されている値札ＩＤのみが入力可能になっている。更に、値札ＩＤの入力項目に所定の値札ＩＤを入力すると、入力した値札ＩＤに対応する決済単位が、決済単位の入力項目に自動的に入力される。そして、商品販売者端末１００を操作して、値札ＩＤの選択リストを表示させ、所望の値札ＩＤを選択して、登録ボタンを操作する。これにより、値札ＩＤの入力データがショッピングサイト運営装置１に送信される。そして、ショッピングサイト運営装置１の制御部１４（商品登録手段１４１）によって、図３に示すように、商品ＤＢ１３２に登録される。
【００３６】
また、商品情報登録ページは、登録商品リストのボタンを用意しており、このボタンを操作することにより、図７に示すように、商品ＤＢ１３２に登録されている商品の一覧が表示される。この一覧から登録内容を変更したい商品に対応する変更ボタンを操作することにより、選択した商品に係る情報が商品情報登録ページに表示される。更に、図７に示す登録商品リストは、値札ＩＤを登録、変更する機能を備えている。まず、商品販売者端末１００を操作して、値札ＩＤの選択リストを表示させ、所望の値札ＩＤを選択して、登録ボタンを操作する。ここで、複数の商品の値札ＩＤの入力項目を書き換えてから登録ボタンを操作してもよい。これにより、変更内容が商品ＤＢ１３２に登録される。
【００３７】
また、図７において、商品ＩＤ「Ａ００１」の変更ボタンを操作することにより、図６に示す商品情報登録ページが表示される。そして、登録内容の変更がある場合には、入力項目への入力操作を行い、登録ボタンを操作することにより、変更内容が商品ＤＢ１３２に登録される。
【００３８】
図８は、商品購入者の端末の表示手段に表示される商品リストの画面を示す図である。図１に示す購入画面生成送信手段１４４は、商品ＤＢ１３２に登録されている商品情報及び値札情報ＤＢ１３１に登録されている決済情報に基づいて商品購入者端末１０１に提供する購入画面を作成する。商品購入者端末１０１は、ショッピングサイト運営装置１に閲覧要求することにより、商品購入者端末１０１の表示手段に図８に示す購入画面を表示する。
【００３９】
購入画面は、商品名、価格、ストア名等の表示項目を備えている。図８に示す購入画面は、図２に示す値札情報ＤＢ１３１及び図３に示す商品ＤＢ１３２に基づいて作成されたものであり、商品名の項目には、商品ＤＢ１３２に登録された商品の商品名が表示される。価格の項目には、商品名に対応する決済単位が表示される。例えば、図８に示すように、リンゴ、ナシ、みかん等の商品名が表示され、価格の項目には、リンゴ、ナシ、みかんに対応して「１００円」という価格が表示される。
【００４０】
次に、商品の価格を変更する際の操作について説明する。
本実施形態は、個々の商品の価格を変更することと、同一の値札ＩＤが付された複数の所定の商品に対応付けられる特定の価格を一括して変更することが可能である。
【００４１】
個々の商品の価格を変更する場合に、まず、商品販売者端末１００の表示手段に、図６に示す商品情報登録ページを表示させる。次に、商品販売者が画面操作を行い、値札ＩＤを変更する。例えば、リンゴの価格を１００円から２００円に変更して、その他の決済情報は変更しない場合には、値札ＩＤを「００１１００」から「００１２００」に変更する。これに伴い、決済単位の表示も「１００」から「２００」に切り替わる。そして、登録ボタンを操作することにより、リンゴの価格が２００円として商品ＤＢ１３２の内容が更新される。
【００４２】
同一の値札ＩＤが付された複数の所定の商品に対応付けられる特定の価格を一括して変更する場合には、まず、商品販売者端末１００の表示手段に、図９に示す値札情報変更ページを表示させる。次に、商品販売者が画面操作を行い、値札ＩＤを変更する。例えば、図２に示す値札情報において、値札ＩＤ「００１２００」に対応している決済単位は「２００」であるが、図９に示すように、値札情報変更ページを操作して、値札ＩＤ「００１２００」に対応している決済単位を「３００」に変更する。これにより、図１０に示すように、値札情報ＤＢ１３１における値札ＩＤ「００１２００」に対応する決済単位が「３００」に変更される。
【００４３】
また、値札情報ＤＢ１３１が変更されたことにより、商品ＤＢ１３２における値札ＩＤ「００１２００」に対応している決済単位が「３００」に変更される。これに伴い、値札ＩＤ「００１２００」が対応している複数の所定の商品に対応付けられる特定の価格が一括して「２００円」から「３００円」に切り替わり、商品販売者端末１００の表示手段に表示される商品リストも変更される。例えば、図８に示すリストから、図１１に示すリストのように、値札ＩＤ「００１２００」が付されている複数の所定の商品、すなわち、バナナ、カキ、イチゴの特定の価格が２００円から３００円に変更される。
【００４４】
図１２を参照して、ショッピングサイト運営装置１が行う処理について説明する。図１２は、ショッピングサイト運営装置１が行う処理のフローチャートである。
【００４５】
ステップＳ１において、ショッピングサイト運営装置１の制御部１４は、商品販売者端末１００から情報を受信したか否かを判定し、情報を受信した場合にはステップＳ２に処理を移し、情報を受信しない場合にはステップＳ１に処理を移す。
【００４６】
ステップＳ２において、ショッピングサイト運営装置１の制御部１４は、ステップＳ１で受信した情報が、値札情報ＤＢ１３１の登録内容の変更要求であるか否かを判定し、登録内容の変更要求であると判定した場合には、ステップＳ３に処理を移す。登録内容の変更を変更要求であると判定しない場合には、ステップＳ４に処理を移す。
【００４７】
ステップＳ３において、ショッピングサイト運営装置１の制御部１４は、商品販売者端末１００からの入力情報に基づいて、値札情報ＤＢ１３１の登録内容を変更して、処理を終了する。
【００４８】
ステップＳ４において、ショッピングサイト運営装置１の制御部１４は、ステップＳ１で受信した情報が、商品ＤＢ１３２の登録内容の変更要求であるか否かを判定し、登録内容の変更要求であると判定した場合には、ステップＳ５に処理を移す。登録内容の変更要求であると判定しない場合には、ステップＳ６に処理を移す。
【００４９】
ステップＳ５において、ショッピングサイト運営装置１の制御部１４は、商品販売者端末１００からの入力情報に基づいて、商品ＤＢ１３２を更新して、処理を終了する。
【００５０】
ステップＳ６において、ショッピングサイト運営装置１の制御部１４は、商品販売者端末１００からの受信内容に対応する処理を行う。
【００５１】
以上、説明したように、本実施形態によれば、値札情報ＤＢ１３１において、値札ＩＤに関連付けて複数の所定の商品の特定の価格のみに対応する決済単位及び決済情報（例えば、振込先の名義人や口座番号等）が記憶されている。また、商品データベースにおいて、複数の所定の商品について値札ＩＤの選択を受け付けたことに応じて、選択を受け付けた値札ＩＤが当該複数の所定の商品の商品ＩＤに関連付けて商品ＤＢ１３２に更に記憶される。
【００５２】
このように、商品販売者端末１００の操作によって、商品ＩＤに値札ＩＤを関連付けて商品ＤＢ１３２に記憶することにより、複数の所定の商品に対応付けられる特定の価格を一括して関連付けることが可能になり、従来における商品ごとに価格をそれぞれ入力する作業が大幅に省力化できる。このため、商品販売者による商品データベースを構築する負担を低減することが可能になる。更に、最初に、値札情報ＤＢ１３１に、決済単位、振込名義人及び振込先口座情報を値札ＩＤに関連付けて記憶しておき、後で、商品ＤＢ１３２に商品情報を登録していくことが可能になる。ここで、ショッピングサイトを運営する側にとって、ショッピングサイトへの参加申込に特に必要な情報は、商品販売者を特定する情報及び決済に用いる口座の情報である。このため、商品販売者は、前もってショッピングサイトへの参加申込だけしておいて、後に、販売する商品を決めていくことが可能になる。これにより、商品販売者にとっては、申込時に商品情報を入力する必要がなくなり、ショッピングサイトを運営する側にとっては、商品販売者が参加しやすいショッピングサイトを提供することが可能になる。
【００５３】
また、本実施形態によれば、値札情報ＤＢ１３１と商品ＤＢ１３２とは、値札ＩＤによって関連付けられており、商品販売者端末１００から、値札情報ＤＢ１３１の決済単位あるいは決済情報の変更を受け付けたことに応じて、当該変更が値札情報ＤＢ１３１に記憶されることにより、同じ値札ＩＤが関連付けられている複数の所定の商品について、決済単位あるいは決済情報を一括して変更することが可能になる。例えば、値札ＩＤに対応する決済単位を変更することにより、同じ値札ＩＤが関連付けられている複数の所定の商品に対応付けられる価格を一括して変更することが可能になる。これにより、例えば、タイムサービスのように、特定の時間帯において価格を下げる場合に、同じ値札ＩＤに対応する決済単位を変更することにより、同額の多種の商品に対して、一括して価格の変更を行うことが可能になる。
【００５４】
以上、本発明の実施形態について説明したが、本発明は、上述した実施形態に限るものではない。例えば、上述した実施形態においては、値札情報ＤＢ１３１は、値札ＩＤに関連づけて決済単位と、決済情報とを記憶するものであるが、それに限らず、値札情報ＤＢ１３１には、値札ＩＤに関連付けて決済単位を記憶してもよい。具体的には、値札ＩＤに関連付けて決済単位を記憶する値札情報ＤＢ１３１の他に、値札ＩＤに関連付けて決済情報（振込先の名義人や口座番号等）を記憶する決済情報ＤＢとを用意し、値札情報ＤＢ１３１と決済情報ＤＢとを値札ＩＤによって関連付けてもよい。
【符号の説明】
【００５５】
１  ショッピングサイト運営装置
１３  記憶部
１４  制御部
１００  商品販売者端末
１０１  商品購入者端末
１３１  値札情報ＤＢ
１３２  商品ＤＢ
１４１  商品登録手段
１４２  受付手段
１４３  値札情報変更手段
１４４  購入画面生成送信手段
１４５  決済要求受付手段
１４６  決済処理手段
【図１】
0005231593.tif 000002
【図２】
0005231593.tif 000003
【図３】
0005231593.tif 000004
【図４】
0005231593.tif 000005
【図５】
0005231593.tif 000006
【図６】
0005231593.tif 000007
【図７】
0005231593.tif 000008
【図８】
0005231593.tif 000009
【図９】
0005231593.tif 000010
【図１０】
0005231593.tif 000011
【図１１】
0005231593.tif 000012
【図１２】
0005231593.tif 000013